(57)【要約】【課題】折り畳み式コンテナの開閉にかかる費用を節減し、開閉過程の安全性と効率性を高める折り畳み式コンテナ開閉装置を提供する。【解決手段】コンテナ開閉装置２０は、本体１１００と、本体１１００の上部に具備され、折り畳み式コンテナの上部角金に形成された挿入溝に上部固定片が挿入されて固定される上部固定部１３００と、本体１１００の上部に具備され、折り畳み式コンテナの前面パネルまたは後面パネルを開閉する前後面開閉部１４００と、上部固定部１３００を昇降して、折り畳み式コンテナの上部パネル及び側面パネルを昇降させ、側面パネルを折り畳み、また広げる昇降開閉部と、を含む。【選択図】図３８
2019163087.tif 000002
【特許請求の範囲】
【請求項１】
海上運送用の折り畳み式コンテナの前面または後面にそれぞれ位置し、前記折り畳み式コンテナを開閉する折り畳み式コンテナ開閉装置であって、
本体と、
前記本体の上部に具備され、前記折り畳み式コンテナの上部角金に形成された挿入溝に上部固定片が挿入されて固定される上部固定部と、
前記本体の上部に具備され、前記折り畳み式コンテナの前面パネルまたは後面パネルを開閉する前後面開閉部と、
前記上部固定部を昇降して、前記折り畳み式コンテナの上部パネル及び側面パネルを昇降させ、前記側面パネルを折り畳み、また広げる昇降開閉部と、
を含む、折り畳み式コンテナ開閉装置。
【請求項２】
前記本体の下部には、複数の車輪が具備される請求項１に記載の折り畳み式コンテナ開閉装置。
【請求項３】
前記本体の下部に具備され、前記折り畳み式コンテナの下部を固定する下部固定部をさらに含む請求項１に記載の折り畳み式コンテナ開閉装置。
【請求項４】
前記上部固定部は、前記上部固定片及び前記上部固定片を回転させる上部レバーを含む、請求項１に記載の折り畳み式コンテナ開閉装置。
【請求項５】
前記下部固定部は、前記折り畳み式コンテナの下部角金に形成された挿入溝に挿入される下部固定片及び前記下部固定片を回転させる下部レバーを含む、請求項３に記載の折り畳み式コンテナ開閉装置。
【請求項６】
前記本体は、
前記折り畳み式コンテナの前面または後面と側部にそれぞれ位置する下部フレームと、
前記下部フレームの一方の側の上部面から上部方向に延長形成される柱フレームと、
両端部が前記柱フレームの上部にそれぞれ結合する上部フレームと、
を含み、
前記前後面開閉部は、前記上部フレームに結合する請求項１に記載の折り畳み式コンテナ開閉装置。
【請求項７】
前記本体は、一方の端部が前記下部フレームに結合し、他方の端部が地面方向に折り曲げられた揺れ防止部をさらに含む、請求項６に記載の折り畳み式コンテナ開閉装置。
【請求項８】
前記下部フレームは、下端面が地面に密着し、前記本体を固定する本体固定部をさらに含む、請求項６に記載の折り畳み式コンテナ開閉装置。
【請求項９】
前記本体は、前記柱フレームの一方の側に位置し、梯子状の梯子部をさらに含む、請求項６に記載の折り畳み式コンテナ開閉装置。
【請求項１０】
前記前後面開閉部は、前記前面パネルまたは前記後面パネルに具備された環またはロードバーに連結するワイヤ及び前記ワイヤを巻いたり解いたりするモータを含む、請求項１に記載の折り畳み式コンテナ開閉装置。
【請求項１１】
前記昇降開閉部は、
上下方向に延長形成され、外周面にネジ山が形成され、前記上部固定部が上下方向に移動可能に結合されたボールスクリューと、前記ボールスクリューに連結され、前記ボールスクリューを回転させる駆動部と、
を含む、請求項１に記載の折り畳み式コンテナ開閉装置。
【請求項１２】
前記ボールスクリューは、前記上部固定部がそれぞれ連結される第１ボールスクリュー及び第２ボールスクリューを含み、
前記昇降開閉部は、
前記第１ボールスクリュー及び前記第２ボールスクリューにそれぞれ結合された第１ギア部及び第２ギア部と、
前記第１ギア部及び前記第２ギア部に噛み合い駆動力を伝達するチェーン部と、
をさらに含む、請求項１１に記載の折り畳み式コンテナ開閉装置。
【請求項１３】
前記本体の柱フレームには、上下方向にＬＭガイド部が突出形成され、
前記上部固定部は、前記ＬＭガイドが挿入されるガイド溝を含む、請求項１１に記載の折り畳み式コンテナ開閉装置。
【請求項１４】
前記上部固定部は、前記折り畳み式コンテナの外側面に密着するガイド部をさらに含む、請求項１１に記載の折り畳み式コンテナ開閉装置。
【請求項１５】
前記本体は、
前記前後面開閉部が位置する第１本体と、
前記第１本体の一方の側に結合する第２本体と、
前記第１本体の他方の側に結合する第３本体と、
を含み、
前記第２及び第３本体は、前記昇降開閉部がそれぞれ具備される請求項１に記載の折り畳み式コンテナ開閉装置。
【請求項１６】
前記前後面開閉部は、前記ワイヤが巻き取られる滑車部をさらに含む、請求項１０に記載の折り畳み式コンテナ開閉装置。
【請求項１７】
コンテナの前記側面パネルを固定する側面固定部をさらに含み、
前記側面固定部は、
一端部にコンテナの前記側面パネルを固定するワイヤが固定されるワイヤ固定部と、
前記ワイヤ固定部の他端部が挿入して固定される挿入固定部と、
を含む、請求項６に記載の折り畳み式コンテナ開閉装置。
【請求項１８】
前記昇降開閉部は、前記本体の上部に具備されている、請求項１に記載の折り畳み式コンテナ開閉装置。
【請求項１９】
前記本体は、
前記折り畳み式コンテナの前面または後面と側部にそれぞれ位置する下部フレームと、
前記下部フレームの上部面から上部方向に延長形成する柱フレームと、
前記柱フレームの上部に結合し、前記前後面開閉部が結合する第１上部フレームと、
前記柱フレームの上部に結合し、前記昇降開閉部が結合する第２上部フレームと、
を含む、請求項１８に記載の折り畳み式コンテナ開閉装置。
【請求項２０】
前記本体の下部に具備され、前記折り畳み式コンテナの下部を固定する下部固定部をさらに含む請求項１８に記載の折り畳み式コンテナ開閉装置。
【請求項２１】
前記上部固定部は、前記上部固定片及び前記上部固定片を回転させる上部レバーを含む、請求項１８に記載の折り畳み式コンテナ開閉装置。
【請求項２２】
前記下部固定部は、前記折り畳み式コンテナの下部角金に形成された挿入溝に挿入される下部固定片及び前記下部固定片を回転させる下部レバーを含む、請求項２０に記載の折り畳み式コンテナ開閉装置。
【請求項２３】
前記昇降開閉部は、
前記第２上部フレームに結合する駆動部と、
両端部に前記上部固定部がそれぞれ結合し、前記駆動部によって昇降する上下移動フレームと、
を含む請求項１８に記載の折り畳み式コンテナ開閉装置。
【請求項２４】
前記前後面開閉部は、前記前面パネルまたは前記後面パネルに具備された環またはロードバーに連結するワイヤ及び前記ワイヤを巻いたり解いたりするモータを含む、請求項１８に記載の折り畳み式コンテナ開閉装置。
【発明の詳細な説明】
【技術分野】
【０００１】
本願は、折り畳み式コンテナ及びこれを開閉する装置に関する。
【背景技術】
【０００２】
一般的に、コンテナは、四隅のビームを支柱として設置し、この支柱間の六面、つまり、前・後・左・右・上・下面に一定面積のパネルを溶接またはリベットなどのような締結手段で相互に締結組み立てて内部に空間を形成して、貨物を運送または保管する。
【０００３】
しかし、従来のコンテナは、貨物の積載有無と関係なく、このような空間を固定して形成しており、貨物のない空のコンテナを運送する際にも重量が軽いにもかかわらず貨物が積載されているコンテナのように一つの貨物車両に一つの空のコンテナを装着して移送しなければならないため、一つの車両に多数の空のコンテナを積層して運送できないという問題点がある。
【０００４】
また、港湾で船舶を利用して運送する時は、コンテナを多層に積載して運送するが、空のコンテナも貨物が積載されたコンテナのように積層して運送することで、船舶の収容スペースを多く占有して、運送費が上昇するという問題点があった。
【０００５】
そして、貨物のない空のコンテナを保管しようとする場合、コンテナを多数の層に積載して保管をするが、原型のまま積層することで、広い保管場所が必要となるという問題点があった。
【０００６】
また、一般の海上貨物用コンテナは、プラスチックのような軽量性コンテナとは違って、高重量の大型構造物であるため、積層の際に荷重及び衝突などで破損及び変形するという問題点があった。
【０００７】
これと関連して、下記特許文献１では、単一板材からなる上面板と底板との間に設置され、前面と後面を塞ぐ前面板と後面板が折り畳まれる一対の単位部材からなり相互折り畳みが可能となり、側面板の上部側は自由端からなり、その下部側は底板と軸ピンで連結されて、上記の前面板と後面板及び側面板が相互折り畳まれる折り畳み式コンテナハウスが開示されている。
【先行技術文献】
【特許文献】
【０００８】
【特許文献１】大韓民国公開特許第１０−１９９９−００６４７７３号（発明の名称：折り畳み式コンテナハウス）
【発明の概要】
【発明が解決しようとする課題】
【０００９】
本願は、前述した従来技術の問題点を解決するためのもので、貨物のない空のコンテナを折り畳んだ後、積層させて保管及び運送して、保管及び運送に必要な空間を最小化することができ、これと関連した費用を節減することができる折り畳み式コンテナを提供することを目的とする。
【００１０】
また、広がっているか折れた複数のコンテナを積層する際に、積層されたコンテナの荷重に耐えられる折り畳み式コンテナを提供することを目的とする。
【００１１】
また、折り畳み式コンテナ開閉装置を利用して、折り畳み式コンテナを折ったり広げたりする開閉費用を節減し、このような開閉過程の安全性と効率性を高める折り畳み式コンテナ開閉装置を提供することを目的とする。
【課題を解決するための手段】
【００１２】
上記の技術的課題を達成するための技術的手段として、本願の第１の側面による折り畳み式コンテナの側面パネルは、上部パネルにヒンジ結合する上部側面パネルと、上部側面パネルの下部に位置し、下部パネルにヒンジ結合する下部側面パネルと、上部側面パネルと下部側面パネルとを連結する一つ以上のスライディングジョイントとを含み、側面パネルは、上部パネルが上部方向に移動するにつれて、上部側面パネルが上部方向に所定距離移動した後に折り畳まれる。
【００１３】
本願の第２の側面による折り畳み式コンテナは、下部パネルと、下部パネルと平行に具備される上部パネルと、上部パネル及び下部パネルの長さ方向に沿って上下両端部が上部パネル及び下部パネルにそれぞれ回動可能に連結され、折り畳み式コンテナの内側方向に折られるように構成された第１及び第２側面パネルと、下部パネルの幅方向に沿って回動可能に連結された前面パネル及び後面パネルとを含み、第１及び第２側面パネルは、上部パネルにヒンジ結合する上部側面パネルと、上部側面パネルの下部に位置し、下部パネルにヒンジ結合する下部側面パネルと、上部側面パネルと下部側面パネルとを連結する一つ以上のスライディングジョイントとを含み、第１及び第２側面パネルは、上部パネルが上部方向に移動するにつれて、上部側面パネルが上部方向に所定距離移動した後に折り畳まれる。
【００１４】
本願の第３の側面による折り畳み式コンテナ開閉装置は、本体と、本体の上部に具備され、折り畳み式コンテナの上部を固定する上部固定部と、本体の上部に具備され、折り畳み式コンテナの前面パネルまたは後面パネルを開閉する前後面開閉部と、上部固定部を昇降して、折り畳み式コンテナの上部パネル及び側面パネルを昇降する昇降開閉部とを含む。
【００１５】
本願の第４の側面による折り畳み式コンテナ開閉装置は、本体と、本体の上部に具備され、折り畳み式コンテナの上部を固定する上部固定部と、本体の上部に具備され、折り畳み式コンテナの前面パネルまたは後面パネルを開閉する前後面開閉部と、本体の上部に具備され、上部固定部を昇降させて、折り畳み式コンテナの上部パネル及び側面パネルを昇降する昇降開閉部とを含む。
【発明の効果】
【００１６】
前述した本願の課題解決手段によると、物流輸送に活用するコンテナのうち貨物のない空のコンテナを折り畳んだ後、積層させることで、保管及び運送効果を大きく向上することができる。
【００１７】
そして、空のコンテナを保管または運送する場合、折り畳まれたコンテナを積層して一束で保管及び運送することで、コンテナの維持保守効率及び寿命を向上させることができる。
【００１８】
また、上部パネルの長さ方向フレームに結合する上部サイド室と上部補強片、及び下部パネルの長さ方向フレームに結合する下部サイド室と下部補強片を具備して、積層されたコンテナの垂直荷重及び貨物積載の際の貨物の荷重とコンテナ上部吊り上がりなどに耐えられるという効果を有する。
【００１９】
また、別途の折り畳み式コンテナ開閉装置を活用することで、折り畳み式コンテナを折って広げる過程を安全でかつ便利に進行することができ、さらに、コンテナを取り扱う高価の物流装備であるリーチスタッカーとフォークリフトなどを活用しなくてもよいため、より多くの経済的効果を有する。
【００２０】
また、作業者が開閉装置を容易に移動可能であり、折り畳み式コンテナの開閉時に高価のコンテナ取扱装備を使用せず、低コストの開閉装置を使用することにより、折り畳み式コンテナの開閉費用を節減するという効果がある。
【００２１】
また、折り畳み式コンテナを折って広げる順序と特性に合わせて、様々な安全装置と専用装置を具備して、折り畳み式コンテナを安定して効率的かつ迅速に開閉可能な効果がある。
【図面の簡単な説明】
【００２２】
【図１】本発明の一実施例による折り畳み式コンテナ斜視図である。
【図２】本発明の一実施例による折り畳み式コンテナ側面図である。
【図３】図１のＡ拡大図及び本発明の一実施例によるスライディングジョイント作動例示図である。
【図４】図１のＡ拡大図及び本発明の一実施例によるスライディングジョイント作動例示図である。
【図５】本発明の一実施例による下部パネルの部分拡大図及び部分断面図である。
【図６】本発明の一実施例によるカバー部の作動例示図である。
【図７】本発明の一実施例による前面パネルのヒンジ部を示す図面である。
【図８】本発明の一実施例による折り畳み式コンテナの下部角部の部分斜視図及び部分透視図である。
【図９】図８の前面パネルが折り畳まれる作動を示すための図面である。
【図１０】本発明の一実施例による結束装置保管部を説明するための図面である。
【図１１】本発明の一実施例による前面パネル及び後面パネルを上部パネルに固定する構成を説明するための図面である。
【図１２】本発明の他の実施例による前面パネル及び後面パネルを上部パネルに固定する構成を説明するための図面である。
【図１３】図１１及び図１２の前面パネル及び後面パネルが固定する構成の側面図である。
【図１４】本発明の一実施例による側面パネルを固定する部材を説明するための図面である。
【図１５】本発明の一実施例による折り畳み式コンテナの部分断面斜視図である。
【図１６】図１５のＤの拡大図である。
【図１７】本発明の一実施例による側面パネル支持部の作動例示図である。
【図１８】図１のＢとＣの拡大図である。
【図１９】本発明の一実施例による上部補強片及び下部補強片を説明するための図面である。
【図２０】本発明の一実施例による折り畳み式コンテナの側面図である。
【図２１】（ａ）は、図２０のＥ−Ｅ’の断面図であり、（ｂ）は、図２０のＦ−Ｆ’の断面図である。
【図２２】図２１の（ａ）のＧ及びＨの拡大図である。
【図２３】図２１の（ｂ）のＩ及びＪの拡大図である。
【図２４】図２１のＥ−Ｅ’の断面斜視図である。
【図２５】（ａ）は、図２４のＫの拡大図であり、（ｂ）は、下部側面パネルの固定部材を説明するための図面である。
【図２６】本発明の一実施例による折り畳み式コンテナの断面図である。
【図２７】図２６のＬの拡大図である。
【図２８】図２６のＭの拡大図である。
【図２９】図２６のＮの拡大図である。
【図３０】本発明の一実施例によるパネル結合保護部を説明するための図面である。
【図３１】本発明の一実施例による前面パネルのフレーム斜視図である。
【図３２】本発明の一実施例によるロードバーを説明するための図面である。
【図３３】本発明の一実施例によるパネル結合部を説明するための図面である。
【図３４】本発明の一実施例による折り畳み式コンテナを折り畳む方法を説明するための図面である。
【図３５】本発明の一実施例による折り畳み式コンテナを折り畳む方法を説明するための図面である。
【図３６】本発明の一実施例による折り畳み式コンテナを折り畳む方法を説明するための図面である。
【図３７】本発明の一実施例による折り畳み式コンテナ開閉装置が折り畳み式コンテナに設置された状態を示す図面である。
【図３８】本発明の一実施例による折り畳み式コンテナ開閉装置の斜視図である。
【図３９】本発明の一実施例による折り畳み式コンテナ開閉装置の後斜視図である。
【図４０】図３８のＯ及びＰの拡大図である。
【図４１】本発明の一実施例による下部固定部の作動を説明するための図面である。
【図４２】本発明の一実施例による上部固定部の作動を説明するための図面である。
【図４３】図３９のＱの拡大図である。
【図４４】図３９のＲの拡大図である。
【図４５】本発明の一実施例による昇降開閉部を説明するための図面である。
【図４６】本発明の一実施例による本体を説明するための図面である。
【図４７】本発明の一実施例による本体を説明するための図面である。
【図４８】本発明の一実施例による滑車部及び側面固定部を説明するための図面である。
【図４９】本発明の一実施例による滑車部及び側面固定部を説明するための図面である。
【図５０】本発明の一実施例による滑車部及び側面固定部を説明するための図面である。
【図５１】本発明の他の実施例による折り畳み式コンテナ開閉装置の斜視図である。
【図５２】図５１のＷの拡大図である。
【図５３】本発明の他の実施例による折り畳み式コンテナ開閉装置に運転部が追加された側面図である。
【図５４】本発明の他の実施例による折り畳み式コンテナ開閉装置に運転部が追加された平面図である。
【図５５】本発明の一実施例による折り畳み式コンテナ開閉装置を利用して折り畳み式コンテナを開閉する方法を説明するための図面である。
【図５６】本発明の一実施例による折り畳み式コンテナ開閉装置を利用して折り畳み式コンテナを開閉する方法を説明するための図面である。
【図５７】本発明の一実施例による折り畳み式コンテナ開閉装置を利用して折り畳み式コンテナを開閉する方法を説明するための図面である。
【図５８】本発明の一実施例による折り畳み式コンテナ開閉装置を利用して折り畳み式コンテナを開閉する方法を説明するための図面である。
【図５９】本発明の一実施例による折れた複数の折り畳み式コンテナが積層された状態を示した図面である。
【発明を実施するための形態】
【００２３】
以下では、添付の図面を参照して本願が属する技術分野で通常の知識を持った者が容易に実施することができるように、本願の実施例を詳しく説明する。しかし、本願は、様々な異なる形態で具現されることができ、ここで説明する実施例に限定されない。そして、図面で本願を明確に説明するために、説明と関係ない部分は省略し、明細書全体を通じて類似した部分については類似した図面符号をつけた。
【００２４】
本願明細書全体において、ある部分が他の部分と「連結」されているとすると、これは「直接的に連結」されている場合だけでなく、その中間に他の素子を挟んで「電気的に連結」されている場合も含む。
【００２５】
本願明細書全体において、ある部材が他の部材「上に」位置しているとすると、これは、ある部材が他の部材に接している場合だけでなく、二つの部材間にまた他の部材が存在する場合も含む。
【００２６】
本願明細書全体において、ある部分がある構成要素を「含む」とすると、これは、特に反対の記載がない限り、他の構成要素を除外するのではなく、他の構成要素をさらに含むことができることを意味する。本願明細書全体で使用される程度の用語である「約」、「実質的に」などは、言及された意味に固有の製造及び物質許容誤差が提示される時、その数値で、またはその数値に近接した意味で使用され、本願の理解を助けるために、正確であるか絶対的な数値が言及された開示内容を非良心的な侵害者が不当に利用することを防止するために使用される。本願明細書全体で使用される程度の用語である「〜（する）段階」または「〜の段階」は、「〜のための段階」を意味しない。
【００２７】
本願は、折り畳み式コンテナ及びこれを開閉する装置に関する。
【００２８】
図１は、本発明の一実施例による折り畳み式コンテナ斜視図であり、図２は、本発明の一実施例による折り畳み式コンテナ側面図であり、図３及び図４は、図１のＡ拡大図及び本発明の一実施例によるスライディングジョイント作動例示図であり、図５は、本発明の一実施例による下部パネルの部分拡大図及び部分断面図であり、図６は、本発明の一実施例によるカバー部の作動例示図であり、図７は、本発明の一実施例による前面パネルのヒンジ部を示す図面であり、図８は、本発明の一実施例による折り畳み式コンテナの下部角部の部分斜視図及び部分透視図であり、図９は、図８の前面パネルが折り畳まれる作動を示すための図面であり、図１０は、本発明の一実施例による結束装置保管部を説明するための図面であり、図１１は、本発明の一実施例による前面パネル及び後面パネルを上部パネルに固定する構成を説明するための図面であり、図１２は、本発明の他の実施例による前面パネル及び後面パネルを上部パネルに固定する構成を説明するための図面であり、図１３は、図１１及び図１２の前面パネル及び後面パネルが固定する構成の側面図であり、図１４は、本発明の一実施例による側面パネルを固定する部材を説明するための図面であり、図１５は、本発明の一実施例による折り畳み式コンテナの部分断面斜視図であり、図１６は、図１５のＤの拡大図であり、図１７は、本発明の一実施例による側面パネル支持部の作動例示図であり、図１８は、図１のＢとＣの拡大図であり、図１９は、本発明の一実施例による上部補強片及び下部補強片を説明するための図面であり、図２０は、本発明の一実施例による折り畳み式コンテナの側面図であり、図２１の（ａ）は、図２０のＥ−Ｅ’の断面図であり、図２１の（ｂ）は、図２０のＦ−Ｆ’の断面図であり、図２２は、図２１の（ａ）のＧ及びＨの拡大図であり、図２３は、図２１の（ｂ）のＩ及びＪの拡大図であり、図２４は、図２１のＥ−Ｅ’の断面斜視図であり、図２５の（ａ）は、図２４のＫの拡大図であり、図２５の（ｂ）は、下部側面パネルの固定部材を説明するための図面であり、図２６は、本発明の一実施例による折り畳み式コンテナの断面図であり、図２７は、図２６のＬの拡大図であり、図２８は、図２６のＭの拡大図であり、図２９は、図２６のＮの拡大図であり、図３０は、本発明の一実施例によるパネル結合保護部を説明するための図面であり、図３１は、本発明の一実施例による前面パネルのフレーム斜視図であり、図３２は、本発明の一実施例によるロードバーを説明するための図面であり、図３３は、本発明の一実施例によるパネル結合部を説明するための図面であり、図３４〜図３６は、本発明の一実施例による折り畳み式コンテナを折り畳む方法を説明するための図面であり、図３７は、本発明の一実施例による折り畳み式コンテナ開閉装置が折り畳み式コンテナに設置された状態を示す図面であり、図３８は、本発明の一実施例による折り畳み式コンテナ開閉装置の斜視図であり、図３９は、本発明の一実施例による折り畳み式コンテナ開閉装置の後斜視図であり、図４０は、図３８のＯ及びＰの拡大図であり、図４１は、本発明の一実施例による下部固定部の作動を説明するための図面であり、図４２は、本発明の一実施例による上部固定部の作動を説明するための図面であり、図４３は、図３９のＱの拡大図であり、図４４は、図３９のＲの拡大図であり、図４５は、本発明の一実施例による昇降開閉部を説明するための図面であり、図４６及び図４７は、本発明の一実施例による本体を説明するための図面であり、図４８〜５０は、本発明の一実施例による滑車部及び側面固定部を説明するための図面であり、図５１は、本発明の他の実施例による折り畳み式コンテナ開閉装置の斜視図であり、図５２は、図５１のＷの拡大図であり、図５３は、本発明の他の実施例による折り畳み式コンテナ開閉装置に運転部が追加された側面図であり、図５４は、本発明の他の実施例による折り畳み式コンテナ開閉装置に運転部が追加された平面図であり、図５５〜図５８は、本発明の一実施例による折り畳み式コンテナ開閉装置を利用して折り畳み式コンテナを開閉する方法を説明するための図面であり、図５９は、本発明の一実施例による折れた複数の折り畳み式コンテナが積層された状態を示した図面である。
【００２９】
まず、本願の一実施例による折り畳み式コンテナ１０（以下、「本折り畳み式コンテナ１０」という）について説明する。
【００３０】
図１及び図７を参照すると、本折り畳み式コンテナ１０は、下部パネル１００、下部パネル１００と平行に具備される上部パネル２００、上部パネル２００及び下部パネル１００の長さ方向に沿って上下両端部が上部パネル２００及び下部パネル１００にそれぞれ回動可能に連結され、折り畳み式コンテナ１０の内側方向に折り畳まれるように構成された第１及び第２側面パネル３０１、３０２、下部パネル１００の幅方向に沿って回動可能に連結された前面パネル４００及び後面パネル５００を含む。
【００３１】
上述した長さ方向とは、図１の８時方向及び２時方向であり、幅方向とは、図１の４時方向及び１０時方向であることができる。
【００３２】
また、上述した第１側面パネル３０１及び第２側面パネル３０２は、上部パネル２００及び下部パネル１００間の側部にそれぞれ位置し、互いに同一の構成要素を有し、対称に設置される構成であるため、第１側面パネル３０１と第２側面パネル３０２をそれぞれ説明せず、側面パネル３００と命名して説明する。
【００３３】
図２を参照すると、側面パネル３００は、上部パネル２００にヒンジ結合する上部側面パネル３１０、上部側面パネル３１０の下部に位置し、下部パネル１００にヒンジ結合する下部側面パネル３２０、及び上部側面パネル３１０と下部側面パネル３２０とを連結する一つ以上のスライディングジョイント３３０を含む。
【００３４】
上部側面パネル３１０は、上部が上部パネル２００にヒンジ結合し、回動可能に連結することができる。例示として、上部側面パネル３１０は、上部内側の角部に少なくとも一つ以上の上部側面パネル３１０のヒンジ部３１０ａが位置し、上部側面パネル３１０のヒンジ部３１０ａが上部パネル２００の長さ方向の下部に連結され、上部側面パネル３１０のヒンジ部３１０ａを中心として折り畳み式コンテナ１０の内側方向に回動して折り畳まれることができる。上述した内側とは、折り畳み式コンテナ１０で貨物が積載される空間である。
【００３５】
下部側面パネル３２０は、上部側面パネル３１０の下部に位置し、下部が下部パネル１００のヒンジ結合し、回動可能に連結することができる。例示として、下部側面パネル３２０は、下部内側の角部に少なくとも一つ以上の下部側面パネル３２０のヒンジ部３２０ａが位置し、下部側面パネル３２０のヒンジ部３２０ａが下部パネル１００に長さ方向の上部に連結され、下部側面パネル３２０のヒンジ部３２０ａを中心として折り畳み式コンテナ１０の内側方向に回動して折り畳まれることができる。
【００３６】
また、側面パネル３００は、後述するコンテナ開閉装置２０によって上部パネル２００が上部方向に移動するにつれて、上部側面パネル３１０が上部方向に所定距離移動した後に折り畳まれる。そのため、上部側面パネル３１０と下部側面パネル３２０とは、一つ以上のスライディングジョイント３３０によって連結される。
【００３７】
以下、図３及び図４を参照して、スライディングジョイント３３０について詳しく説明する。
【００３８】
スライディングジョイント３３０は、上部側面パネル３１０に結合する第１固定部３３１、下部側面パネル３２０に結合する第２固定部３３２、及び一方の側が第１固定部３３１にヒンジ結合し、他方の側が第２固定部３３２にスライド可能にヒンジ結合するリンク部３３３を含む。
【００３９】
例示として、第１固定部３３１の上部は、上部側面パネル３１０の外側面下部に結合し、第１固定部３３１の下部は、リンク部３３３の上部にヒンジ結合することができる。
【００４０】
また、第２固定部３３２は、下部側面パネル３２０の外側面上部に結合し、第２固定部３３２の上部は、リンク部３３３の下側に結合することができる。
【００４１】
この時、第２固定部３３２の上部には、リンク部３３３が挿入可能に陥没形成されたスライド陥没部３３２ａが形成され、スライド陥没部３３２ａの内側面には、上下方向に所定の長さを有し外側方向にスライド溝３３２ｂがそれぞれ形成されることができる。
【００４２】
また、リンク部３３３は、上部が第１固定部３３１の下部にヒンジ結合し、下部にスライドピン３３３ａが位置し、スライドピン３３３ａがスライド溝３３２ｂに挿入され、スライド溝３３２ｂに沿って上下方向に移動可能かつ回動可能に第２固定部３３２に連結されることができる。
【００４３】
つまり、図３の（ｂ）を参照すると、側面パネル３００を折り畳むために、まず、上部側面パネル３１０が上部方向に所定距離だけ移動し、それにより、リンク部３３３がスライド溝３３２ｂに沿って上部方向に同一距離だけ移動する。また、図４を参照すると、折り畳み式コンテナ１０の内側方向に側面パネル３００が折り畳む場合、リンク部３３３が折り畳み式コンテナ１０の内側の下部方向に移動すると共に、リンク部３３３の上部及び下部にそれぞれ第１固定部３３１の下部と第２固定部３３２の上部とがヒンジ結合して、上部側面パネル３１０及び下部側面パネル３２０が折り畳まれることができる。
【００４４】
図５及び図６を参照して、本発明の一実施例による下部パネル１００について説明する。
【００４５】
下部パネル１００の上部面の前方端部及び後方端部には、下部パネル１００の上部面より低く段差があるように段差部１１０がそれぞれ形成されることができる。
【００４６】
段差部１１０は、下部パネル１００の上部面と平行に形成された段差面１１１、及び段差面１１１から垂直した方向に形成され、上部面と段差面１１１に連結する段面１１２を含むことができる。
【００４７】
また、下部パネル１００は、下部パネル１００の段差部１１０がカバー可能なカバー部１４０を含むことができる。
【００４８】
例示として、カバー部１４０は、図５及び図６に示すように、幅方向に両端部にカバー部１４０のヒンジ部１４１が位置し、カバー部１４０のヒンジ部１４１が側面パネル３００に連結され、段面１１２と下部パネル１００の上部面とが接する角部を中心として回転することができる。しかし、これに限らず、カバー部１４０は、段面１１２の上部にヒンジ結合し、段面１１２と下部パネル１００の上部面とが接する角部を中心として回転することができる。
【００４９】
前面パネル４００及び後面パネル５００は、上部パネル２００と下部パネル１００との間に前方と後方にそれぞれ位置し、互いに構成要素が類似しており、対称に設置されるため、後面パネル５００に対する説明を省略し、前面パネル４００についてのみ説明する。
【００５０】
一方、前面パネル４００は、ドア形態で製作され、後面パネル５００は、壁形態で製作されることができる。
【００５１】
前面パネル４００は、折り畳み式コンテナ１０の内側方向に回動可能に結合することができる。
【００５２】
図７を参照して、本発明の一実施例による前面パネル４００について説明する。
【００５３】
前面パネル４００は、段差部１１０にヒンジ結合することができる。
【００５４】
つまり、前面パネル４００は、内側の下部角部に前面パネル４００のヒンジ部４２０が位置し、前面パネル４００のヒンジ部４２０が段差部１１０に位置し、前面パネル４００のヒンジ部４２０を中心として折り畳み式コンテナ１０の内側方向に折り畳まれることができる。
【００５５】
前面パネル４００を内側方向に折り畳むためには、まずカバー部１４０を回動した後、前面パネル４００を内側方向に折り畳むことができる。
【００５６】
そこで、前面パネル４００は、段差部１１０にヒンジ結合し、折り畳み式コンテナ１０の内側方向に折り畳む場合、下部パネル１００の底面に干渉なく折り畳むことができ、それと共に、前面パネル４００に位置したドアサイズを維持しながら、下部パネル１００の上部面と段差をなくし、外部の異物が折り畳み式コンテナ１０の内部に流入することを防止するという効果がある。
【００５７】
また、カバー部１４０を利用して段差部１１０をカバーすることで、前面パネル４００のヒンジ部４２０が外側に露出せず、下部パネル１００の上部面に凹凸部位のないように平たく形成することができる。
【００５８】
前面パネル４００及び後面パネル５００は、上部に環４３０が具備され、後述するコンテナ開閉装置２０のワイヤを環４３０に連結して前面パネル４００及び後面パネル５００を回動させて開閉することができる。
【００５９】
他の実施例として、図３２を参照すると、前面パネル４００及び後面パネル５００は、上部に連結するロードバー４６０をさらに含むことができる。
【００６０】
詳しくは、ロードバー４６０は、一端部が前面パネル４００または後面パネル５００の上部に回動可能に連結され、他端部が後述するコンテナ開閉装置２０のワイヤに連結することができる。それにより、作業者は、折り畳み式コンテナ１０の内部に入らず、前面パネル４００または後面パネル５００を回動させるワイヤをロードバー４６０の他端部に連結することができるため、安全上の事故のリスクを抑制することができるという効果がある。
【００６１】
図８及び図９を参照して、本発明の他の実施例による前面パネル４００について説明する。
【００６２】
前面パネル４００は、側部フレームの下部に回転突出部４５０が形成され、側面パネル３００の内側面に回転陥没部３２１が形成されて、回転突出部４５０が回転陥没部３２１に挿入して回転可能に連結されることができる。
【００６３】
さらに詳しくは、前面パネル４００は、側部フレームの下部に突出形成される回転突出部４５０が形成され、側面パネル３００の内側面には回転突出部４５０が挿入され、傘状に陥没形成された回転陥没部３２１が形成され、前面パネル４００が折り畳む場合、回転突出部４５０が回転陥没部３２１に沿って内側上部方向に移動した後に折り畳むことができる。
【００６４】
図１０を参照すると、下部パネル１００の段差面１１１には、下部方向に陥没形成され、折り畳み式コンテナ１０の角部を互いに結合可能なコンテナ結束装置が保管される結束装置保管部１１１ａが形成されることができる。
【００６５】
例示として、結束装置保管部１１１ａは、コンテナ１０とコンテナ１０を結合する装置が保管される場所であり、段差面１１１に下部方向に陥没形成され、仕切り壁でそれぞれ区切られて、複数のコンテナ結束装置が保管されることができる。また、図１０に示すように、コンテナ結束装置は、折り畳み式コンテナ１０の各角部を互いに結合するために、４個が結束装置保管部１１１ａに保管されることができるが、これに限定されず、複数を保管することができる。
【００６６】
図１１〜図１３を参照して、前面パネル４００を上部パネル２００に固定させる構成について説明する。
【００６７】
図１１を参照すると、前面パネル４００は、前面パネル４００の上部フレームの上部面に位置し、突出形成される突出部４１０を含み、上部パネル２００は、上部パネル２００の幅方向フレームの下部面に位置し、突出部４１０が挿入するように陥没形成された陥没部２１０を含むことができる。
【００６８】
前面パネル４００は、前面パネル４００の上部フレームの上部面に位置する突出部４１０が上部パネル２００の幅方向フレームの下部面に位置する陥没部２１０に挿入され、折り畳み式コンテナ１０の内側方向に折り畳まれず固定されることができる。
【００６９】
また、前面パネル４００が折り畳み式コンテナ１０の内側方向に折り畳む場合、上部パネル２００が上部方向に所定距離を上昇移動するにつれて、突出部４１０が陥没部２１０から抜け出して前面パネル４００が折り畳まれることができる。
【００７０】
他の実施例として、図１２を参照すると、前面パネル４００の上部フレームの上部面に陥没部４４０が陥没形成され、上部パネル２００の幅方向フレームの下部面に突出部２４０が突出形成されることもできる。
【００７１】
また、図１３を参照すると、突出部２４０、４１０は円柱状で形成され、上部角が面取りされて、陥没部２１０、４４０への挿入が円滑に行われることができる。
【００７２】
図１４を参照して、折り畳み固定部３４０及び側面パネル補強部３５０について説明する。
【００７３】
折り畳み固定部３４０は、折り畳み式コンテナ１０を使用する時に、上部側面パネル３１０及び下部側面パネル３２０が折り畳み式コンテナ１０の内側方向に折り畳まれないように固定する役割を果たすことができる。また、折り畳み固定部３４０は、一つ以上具備されることができる。
【００７４】
また、折り畳み固定部３４０は、側面パネルの内側方向に位置することができ、これにより、外部で折り畳み固定部３４０を解除して側面パネル３００が折り畳まれることを防止することができる。
【００７５】
折り畳み固定部３４０は、上部側面パネル３１０の下部内側面に内側方向に突出形成されるネジ部３４１、下部側面パネル３２０の上部に位置した側面パネル補強部３５０に形成され、一方開放型のネジ挿入部３４２、及びネジ部３４１に結合するボルト３４３を含むことができる。
【００７６】
上述した一方開放型とは、ネジ部３４１が挿入されても上部側面パネル３１０が上昇可能に上部が開放された「Ｕ」字状を意味することができる。
【００７７】
折り畳み式コンテナ１０を使用する時に、ネジ部３４１は、上部側面パネル３１０の下部内側面に固定され、ネジ部３４１は、下部側面パネル３２０の上部に位置した側面パネル補強部３５０に形成されたネジ挿入部３４２に挿入され、ネジ部３４１にボルト３４３を締結することで、上部側面パネル３１０の内側面に下部側面パネル３２０の上部外側面が密着固定され、上部側面パネル３１０及び下部側面パネル３２０が折り畳み式コンテナ１０の内側方向に折り畳まれないようになる。また、折り畳み式コンテナ１０を折り畳む際にボルト３４３を除去することで、上部側面パネル３１０及び下部側面パネル３２０が折り畳まれることができる。
【００７８】
次に、側面パネル補強部３５０は、上部側面パネル３１０と下部側面パネル３２０との間に長さ方向に沿って位置することができる。
【００７９】
また、側面パネル補強部３５０は、上部パネル２００とヒンジ連結されている上部側面パネル３１０を支持し、折り畳み固定部３４０と共に側面パネル３００が安定して固定されるようにする。
【００８０】
例示として、図１４に示すように、側面パネル補強部３５０は、下部側面パネル３２０の上部に長さ方向に沿って断面が「コ」字状部材で結合されることができるが、これに限らず、逆「Ｌ」字状、「」」状または「Ｉ」字状の部材で結合されることができる。
【００８１】
図１５〜図１７を参照して、本発明の一実施例による側面パネル支持部３６０について説明する。
【００８２】
側面パネル支持部３６０は、一端が下部側面パネル３２０の上部にヒンジ結合し、他端が、側面パネル３００が折り畳まれた際に下部パネル１００の上部面に接触することができる。また、側面パネル支持部３６０は、長さ方向に沿って複数が配置されることができる。
【００８３】
側面パネル支持部３６０は、図１６の（ａ）に示すように、側面パネル補強部３５０の内部に位置することができるが、これに限らず、下部側面パネル３２０の上部に位置することができる。
【００８４】
側面パネル支持部３６０は、折り畳み式コンテナ１０を使用する時、側面パネル３００の内側に突出さないように位置することができる。
【００８５】
また、側面パネル支持部３６０は、折り畳み式コンテナ１０を折り畳む時、側面パネル３００の内側面に対して垂直した方向に突出して一端を中心として回転させることができる。この時、図１７を参照すると、側面パネル支持部３６０は、側面パネル３００が完全に折り畳まれた場合、他端が下部パネル１００の上部面に接触して側面パネル３００の重量を支持することができる。このような構成により、上部パネル２００または側面パネル３００が自重によって変形することを防止することができる。
【００８６】
図１８及び図１９を参照して、本発明の一実施例による上部補強片２３０及び下部補強片１３０について説明する。
【００８７】
上部パネル２００及び下部パネル１００のそれぞれの角には、上部角金２２０及び下部角金１２０が具備される。
【００８８】
上部角金２２０と下部角金１２０は、折り畳み式コンテナ１０が多数の層で積層される場合に加えられる荷重に耐えられるようにし、折り畳み式コンテナ１０を折り畳んだ後に積層して束単位で運送する場合、コンテナ１０間の各角金を固定して広がらないようにする。
【００８９】
また、折り畳み式コンテナ１０は、折れた折り畳み式コンテナ１０が広がらないように固定し、折れた折り畳み式コンテナ１０の上部に多数のコンテナが積層される場合、加えられる荷重に耐えられるように上部補強片２３０及び下部補強片１３０を含むことができる。
【００９０】
上部補強片２３０は、上部角金２２０の下部にそれぞれ延長して具備され、締結片２３１が具備されることができる。
【００９１】
下部補強片１３０は、下部角金１２０の上部にそれぞれ延長して具備され、締結片２３１が挿入締結される締結片固定部１３１が具備されることができる。
【００９２】
上部補強片２３０及び下部補強片１３０の延長長さは、折れた状態のコンテナの厚さを考慮して適切に選択することができる。
【００９３】
例示として、折り畳み式コンテナが完全に折れた場合、締結片２３１が締結片固定部１３１に挿入されることができ、締結片２３１に形成された締結孔２３１ａと締結片固定部１３１に形成された締結孔１３２とが互いに一致するように適切な長さで延長することが好ましい。
【００９４】
したがって、コンテナ１０を折り畳んだ時、上部補強片２３０が下部補強片１３０の上部に安着すると同時に、締結片２３１が締結片固定部１３１に挿入されるようにした後、締結部材を締結片２３１に形成された締結孔２３１ａと締結片固定部１３１に形成された締結孔１３２とを貫通して締結片２３１を締結片固定部１３１に固定するため、コンテナ１０が多数の層に積層する時に加えられる荷重に耐えられるようにして、重量によってコンテナ１０が破損することを防止し、折り畳まれたコンテナ１０を運送する際に広がらないようにする。
【００９５】
また、コンテナ１０が広がっている場合、ボルトのような締結部材を利用して、上部補強片２３０及び下部補強片１３０に形成された締結孔１３２、２３２を貫通して、前面パネル４００側部上下部に挿入して、前面パネル４００を上部パネル２００、下部パネル１００及び側面パネル３００に固定することができる。これにより、コンテナ１０が広がっている場合、安定して起立することができる。また、折り畳み式コンテナ１０を開閉装置またはその他のクレーンで持ち上げるか、多数の層で積層する時に加えられる力が上部パネル２００と上部側面パネル３１０との連結部分及び下部パネル１００と下部側面パネル３２０との連結部分に集中せず、前面パネル４００に分散することができる。
【００９６】
図２０〜図２３を参照して、上部パネル２００に含まれた上部サイド室２５０及び下部パネル１００に含まれた下部サイド室１５０について説明する。
【００９７】
上部サイド室２５０は、上部が上部パネル２００の長さ方向フレームに結合し、下部が上部側面パネル３１０の上部にヒンジ結合することができる。
【００９８】
また、下部サイド室１５０は、下部が下部パネル１００の長さ方向フレームに結合し、上部が下部側面パネル３２０の下部にヒンジ結合することができる。
【００９９】
上部サイド室２５０は、前方及び後方にそれぞれ位置する第１上部サイド室２５１及び第１上部サイド室２５１間に位置する第２上部サイド室２５２を含むことができ、下部サイド室１５０は、前方及び後方にそれぞれ位置する第１下部サイド室１５１及び第１下部サイド室１５１間に位置する第２下部サイド室１５２を含むことができる。
【０１００】
上部サイド室２５０及び下部サイド室１５０は、「コ」字状、逆「Ｌ」字状、「Ｌ」字状、「井」字状、「ＴＴ」字状、「ロ」字状、「Ｉ」字状、「Ｈ」及び「Ｕ」字状のいずれか一つの形状で製作されることができるが、必ずしもこのような形状に制限されるものではなく、様々な形態で製作されることができる。
【０１０１】
図２２及び図２３を参照すると、上部サイド室２５０の中で前方と後方にそれぞれ位置する第１上部サイド室２５１は、前面パネル４００または後面パネル５００が折り畳まれる際に干渉しないように、第２上部サイド室２５２より厚さが薄く製作されることができる。
【０１０２】
また、下部サイド室１５０の中で前方と後方にそれぞれ位置する第１下部サイド室１５１は、前面パネル４００または後面パネル５００が折り畳まれる際に干渉しないように、第２下部サイド室１５２より厚さが薄く製作されることができる。
【０１０３】
この時、第２上部サイド室２５２及び第２下部サイド室１５２は、内部に一つ以上のサイド室補強部１５３、２５３を追加することができ、補強力を高めることができる。
【０１０４】
例示として、図２３を参照すると、第２上部サイド室２５２は、「Ｕ」字状に形成されることができ、上部サイド室補強部２５３が内部に「Ｉ」字状に位置し、補強力を高めることができる。また、第２下部サイド室１５２は、「Ｕ」字状に形成されることができ、下部サイド室補強部１５３が内部に「Ｉ」字状に位置し、補強力を高めることができる。
【０１０５】
上部サイド室２５０及び下部サイド室１５０が上部パネル２００及び下部パネル１００にそれぞれ位置することにより、上部パネル２００の自重による変形または貨物が積載された場合、貨物の荷重による下部パネル１００の変形を防止することができるという効果がある。
【０１０６】
図２４及び図２５を参照して、本発明の下部側面パネル３２０の固定部材１５４について説明する。
【０１０７】
下部側面パネル３２０は、固定部材１５４によって下部サイド室１５０に回動しないように固定することができる。
【０１０８】
さらに詳しくは、下部側面パネル３２０の下部には、内側方向に開放された形態の「Ｕ」字状の溝３２２が複数形成され、下部サイド室１５０の上部面に突出したネジ部が挿入され、ネジ部にボルトが結合して下部側面パネル３２０が回動しないように固定することができる。
【０１０９】
図２６〜図３１を参照して、本発明の一実施例によるパネル結合保護部６００及び弾性部材７００について説明する。
【０１１０】
パネル結合保護部６００は、互いに左右あるいは上下関係に隣接して設置されるそれぞれのパネルに位置することができる。
【０１１１】
つまり、パネル結合保護部６００は、互いに隣接して設置されるそれぞれのパネルが接触する継ぎ目が外部に直接的に露出しないように、パネルの外部面がパネルと隣接したパネル方向に延長して形成されることができる。
【０１１２】
詳しくは、パネル結合保護部６００は、上部パネル２００と上部側面パネル３１０、上部側面パネル３１０と下部側面パネル３２０、及び下部側面パネル３２０と下部パネル１００がそれぞれ上下関係で接触する結合部の継ぎ目が外部に直接的に露出しないように、上部に位置するパネルが下部に位置するパネルの外側下部方向に延長して形成されることができる。また、パネル結合保護部６００は、側面パネル３００と前面パネル４００または後面パネル５００がそれぞれ左右関係で接触する継ぎ目が外部に直接的に露出しないように、側面パネル３００の前面または後面に内側方向に延長して形成されることができる。
【０１１３】
折り畳み式コンテナ１０は、パネル間の継ぎ目が溶接されず、継ぎ目を通じて道具を挿入して貨物が盗難される可能性があるという短所がある。特に、運送する貨物がバルク状態で運ばれる穀物である場合、それぞれのパネルが接触する継ぎ目に端部の鋭い道具を挿入して小さい隙間を形成し、これを通じて穀物が盗難される危険がある。
【０１１４】
しかし、本発明の折り畳み式コンテナ１０は、パネルが接触する継ぎ目にパネル結合保護部６００が位置して、継ぎ目が外部に直接的に露出せず、貨物の盗難などを防止することができる。
【０１１５】
各弾性部材７００は、互いに隣接して設置されるパネル間に位置し、弾性力を有する材質であることができる。しかし、これに限定されるものではなく、互いに隣接して設置されるパネル間に弾性部材７００が位置せず、直接的にパネルが接触する可能性もある。
【０１１６】
例示として、図２７を参照すると、パネル結合保護部６００は、上部パネル２００の長さ方向に側面が下部に延長して形成されることができる。しかし、これに限らず、パネル結合保護部６００は、上部パネル２００と上部側面パネル３１０との継ぎ目部分をカバーするように上部パネル２００の長さ方向の側面下部に「│」状の部材で結合するか、上部パネル２００の長さ方向の下部面に逆「Ｌ」字状の部材で結合することができる。
【０１１７】
図２８を参照すると、パネル結合保護部６００は、上部側面パネル３１０の長さ方向に側面が下部に延長して形成されることができる。しかし、これに限らず、パネル結合保護部６００は、上部側面パネル３１０と下部側面パネル３２０との継ぎ目部分をカバーするように上部側面パネル３１０の側面下部に「│」状の部材で結合するか、上部側面パネル３１０の下部面に逆「Ｌ」字状の部材で結合することができる。
【０１１８】
また、弾性部材７００は、上部側面パネル３１０と下部側面パネル３２０との間に位置し、折り畳む時に発生する衝撃を緩和することができる。
【０１１９】
図２９を参照すると、パネル結合保護部６００は、下部側面パネル３２０の長さ方向に側面が下部に延長して形成されることができる。しかし、これに限らず、パネル結合保護部６００は、下部側面パネル３２０と下部パネル１００との継ぎ目部分をカバーするように下部側面パネル３２０の側面下部に「│」状の部材で結合するか、下部側面パネル３２０の下部面に逆「Ｌ」字状の部材で結合することができる。
【０１２０】
図３０の（ａ）を参照すると、パネル結合保護部６００は、上部パネル２００の幅方向に側面が下部に延長して形成されることができる。しかし、これに限らず、パネル結合保護部６００は、上部パネル２００と前面パネル４００とが接する部分をカバーするように上部パネル２００の幅方向にフレームの側面下部に「│」状の部材で結合するか、上部パネル２００の幅方向フレームの下部面に逆「Ｌ」字状の部材で結合することができる。
【０１２１】
図３０の（ｂ）を参照すると、左右関係で隣接して設置される側面パネル３００と前面パネル４００で、パネル結合保護部６００は、側面パネル３００の前面または後面に内側方向に延長して形成されることができる。しかし、これに限らず、パネル結合保護部６００は、前面パネル４００と側面パネル３００とが接する部分をカバーするように側面パネルの前面または後面フレームに「│」または逆「Ｌ」字状の部材で結合することができる。
【０１２２】
パネル結合保護部６００と弾性部材７００によって互いに隣接して設置されるそれぞれのパネルのうち上部に位置するパネルの外部面が下部方向に延長形成されるか、別途の部材を結合して折り畳み式コンテナ１０の内部にパネル継ぎ目を通じて異物が流入することを防止するという効果もある。
【０１２３】
以下で、図３１を参照して、前面パネル４００のフレームを形成する前面フレーム４８０について説明する。
【０１２４】
前面フレーム４８０は、上部に上部補強片２３０に形成された締結孔２３２と対応して形成される上部締結孔４８１、及び下部に下部補強片１３０の締結片固定部１３１に形成された締結孔１３２と対応して形成される下部締結孔４８２を含むことができる。
【０１２５】
また、コンテナ１０が広がっている場合、前面フレーム４８０は、上部補強片２３０に形成された締結孔２３２と上部締結孔４８１とを貫通して締結された締結部材、及び下部補強片１３０に形成された締結孔１３２と下部締結孔４８２とを貫通して締結された締結部材によって、上部補強片２３０及び下部補強片１３０に締結されて、下部パネル１００、上部パネル２００及び側面パネル３００に固定されることができる。
【０１２６】
また、前面フレーム４８０は、コンテナが広がっている場合、折り畳み式コンテナ１０の上部を吊り上げる際に、引張力と複数個のコンテナを積層するときに加えられる重ね荷重に耐えられるように、十分な厚さと幅を有するように形成することができる。
【０１２７】
また、前面フレーム４８０は、コンテナ１０内側方向の両側部に弾性部材が位置し、前面パネル４００と側面パネル３００との間に異物が流入することを防止することができる。
【０１２８】
後面パネル５００の後面フレームは、前面フレーム４８０と互いに構成要素が類似し、対称に設置されるため説明を省略する。
【０１２９】
また、図３３を参照すると、折り畳み式コンテナ１０は、側面パネル３００の長さ方向に両端部にそれぞれ位置し、前面フレーム４８０または後面フレームが挿入するように「コ」字状で形成されたパネル結合部９００をさらに含むことができる。
【０１３０】
これにより、折り畳み式コンテナ１０が広がっている時、側面パネル３００と前面パネル４００及び後面パネル５００が結合することができ、前面パネル４００または後面パネル５００と側面パネル３００の間に異物が流入することを防止することができるという効果がある。
【０１３１】
以下で、図３４〜図３６を参照して、本折り畳み式コンテナ１０の開閉方法について説明する。
【０１３２】
まず、図３４を参照すると、コンテナ開閉装置８００を折り畳み式コンテナ１０の前面及び後面にそれぞれ位置させる。
【０１３３】
次に、下部固定部８２０を下部パネル１００の下部角金１２０に固定させる。
【０１３４】
次に、作業者が折り畳み式コンテナ１０の内部に入り、折り畳み固定部３４０及び下部側面パネル３２０の固定部材１５４を解除し、側面パネル支持部３６０を広げ、前面パネル４００及び後面パネル５００を結束している上部補強片２３０と下部補強片１３０のボルトまたはピンなどを除去することができる。
【０１３５】
次に、モータが含まれた開閉部８４０を利用して、上部パネル２００とこれと連結された上部側面パネル３１０をスライディングジョイント３３０を活用して上部方向に所定距離だけ上昇させた後、上部固定部８３０を活用して固定する。
【０１３６】
次に、突出部２４０、４１０が上部パネル２００の陥没部２１０、４４０から抜け出したかを確認した後、開閉部８４０を利用して、前面パネル４００及び後面パネル５００を折り畳み式コンテナ１０の内側方向に折り畳ませる。
【０１３７】
例示として、図３５を参照すると、開閉部８４０のワイヤ８４１の末端を前面パネル４００または後面パネル５００の上部に具備された環４３０に固定し、ワイヤ８４１を徐々に解除して、前面パネル４００及び後面パネル５００が徐々に開閉されることができる。
【０１３８】
次に、上部固定部８３０を解除し、開閉部８４０は、上部パネル２００及び側面パネル３００を徐々に下向させて開閉されるようにする（図３６参照）。
【０１３９】
次に、上部角金２２０の上部補強片２３０と下部角金１２０の下部補強片１３０とを締結部材を通じて結合して、折れた折り畳み式コンテナ１０が広がらないようにする。
【０１４０】
上記では、折り畳み式コンテナ１０を折る過程を説明したもので、広げる時は逆順で折り畳み式コンテナ１０を広げる。
【０１４１】
この時、コンテナ開閉装置８００は、制御部をさらに具備して、上記過程を自動で制御することもできる。
【０１４２】
以下で、図３７〜図５８を参照して、本折り畳み式コンテナ１０を開閉するコンテナ開閉装置２０について説明する。
【０１４３】
本折り畳み式コンテナ開閉装置２０は、図３７に示すように、折り畳み式コンテナ１０の前面または後面にそれぞれ位置し、折り畳み式コンテナ１０を開閉することができる。
【０１４４】
図３８及び図３９を参照すると、本折り畳み式コンテナ開閉装置２０は、本体１１００、本体１１００の上部に具備され、折り畳み式コンテナ１０の上部を固定する上部固定部１３００、本体１１００の上部に具備され、折り畳み式コンテナ１０の前面パネル４００及び後面パネル５００を開閉する前後面開閉部１４００、及び上部固定部１３００を昇降させて、折り畳み式コンテナ１０の上部パネル２００及び側面パネル３００を昇降する昇降開閉部１５００を含む。また、本体１１００の下部には、複数の車輪１１０１が具備され、本折り畳み式コンテナ開閉装置２０を容易に移動することができる。
【０１４５】
また、本折り畳み式コンテナ開閉装置２０は、本体１１００の下部に具備され、折り畳み式コンテナ１０の下部を固定する下部固定部１２００をさらに含むことができる。
【０１４６】
図４０〜図４２を参照して、本発明の一実施例による下部固定部１２００及び上部固定部１３００について説明する。
【０１４７】
図４０の（ａ）及び図４１を参照すると、下部固定部１２００は、折り畳み式コンテナ１０の下部角金１２０に形成された挿入溝１２０ａに挿入される下部固定片１２１０及び下部固定片１２１０を回転させる下部レバー１２２０を含むことができる。
【０１４８】
詳しくは、本体１１００を折り畳み式コンテナ１０の前面または後面に位置させる場合、下部固定部１２００の下部固定片１２１０が折り畳み式コンテナ１０の下部角金１２０に形成された挿入溝１２０ａに挿入されることができる。また、下部固定片１２１０が下部角金１２０の挿入溝１２０ａに挿入された後、下部のレバー１２２０を回転させることにより下部固定片１２１０が回転し、これにより、下部固定部１２００が下部角金１２０に固定されることができる。
【０１４９】
図４０の（ｂ）及び図４２を参照すると、上部固定部１３００は、折り畳み式コンテナ１０の上部角金２２０に形成された挿入溝２２０ａに挿入される上部固定片１３１０及び上部固定片１３１０を回転させる上部レバー１３２０を含むことができる。
【０１５０】
詳しくは、本体１１００を折り畳み式コンテナ１０の前面または後面に位置させる場合、上部固定部１３００の上部固定片１３１０が折り畳み式コンテナ１０の上部角金２２０に形成された挿入溝２２０ａに挿入されることができる。また、上部固定片１３１０が上部角金２２０の挿入溝２２０ａに挿入された後、上部レバー１３２０を回転させることにより上部固定片１３１０が回転し、これにより、上部固定部１３００が上部角金２２０に固定されることができる。
【０１５１】
また、上部固定部１３００は、後述する昇降開閉部１５００のボールスクリュー１５１０に上下方向に移動可能に結合する。
【０１５２】
以下で、図３８及び図３９を参照して、本発明の一実施例による本体１１００について詳しく説明する。
【０１５３】
本体１１００は、作業者が押して折り畳み式コンテナ１０の前面と後面にそれぞれ位置させることができるように、下部に車輪１１０１が具備されることができる。
【０１５４】
また、本体１１００は、下部フレーム１１１０、柱フレーム１１２０、及び上部フレーム１１３０を含むことができる。
【０１５５】
下部フレーム１１１０は、折り畳み式コンテナ１０の前面または後面で両側部にそれぞれ位置することができる。上述した両側部とは、折り畳み式コンテナ１０の側面パネル３００が位置した方向であることができる。
【０１５６】
詳しくは、下部フレーム１１１０は、折り畳み式コンテナ１０の一方の側に位置する第１下部側面フレーム１１１１及び折り畳み式コンテナ１０の他方の側に位置する第２下部側面フレーム１１１２を含むことができる。
【０１５７】
また、下部フレーム１１１０は、折り畳み式コンテナ開閉装置２０が折り畳み式コンテナ１０に設置される場合、折り畳み式コンテナ１０の両側部の内側方向に長く延長して形成されることができる。これにより、折り畳み式コンテナ１０を開閉する際に、本折り畳み式コンテナ開閉装置２０が内側方向に倒れることを防止することができる。
【０１５８】
また、下部フレーム１１１０は、一方の端部が第１下部側面フレーム１１１１の一方の端部に結合し、他方の端部が第２下部側面フレーム１１１２の一方の端部に結合する下部フレーム補強部１１１３をさらに含むことができる。
【０１５９】
柱フレーム１１２０は、下部フレーム１１１０の一方の側の上部面から上部方向に延長形成されることができる。例示として、柱フレーム１１２０は、図３８及び図３９に示すように、一側面が開放された「コ」字状であることができる。
【０１６０】
また、柱フレーム１１２０は、第１下部側面フレーム１１１１の一方の側の上部面から上部方向に延長形成される第１柱フレーム１１２１及び第２下部側面フレーム１１１２の一方の側の上部面から上部方向に延長形成される第２柱フレーム１１２２を含むことができる。
【０１６１】
また、柱フレーム１１２０の一方の側には、梯子部１１２４が位置することができる。
【０１６２】
例示として、作業者は、梯子部１１２４を利用して本体１１００の上部に上がり、上部固定部１３００の上部レバー１３２０を操作することができる。
【０１６３】
上部フレーム１１３０は、両端部が柱フレーム１１２０の上部にそれぞれ結合することができる。また、上部フレーム１１３０の中央部には、前後面開閉部１４００が結合することができる。
【０１６４】
例示として、上部フレーム１１３０は、図３８及び図３９に示すように、梯子部１１２４の上部に結合することができるが、これに限らず、両端部が第１柱フレーム１１２１と第２柱フレーム１１２２とにそれぞれ結合して固定されることができる。
【０１６５】
本体１１００は、一方の端部が柱フレーム１１２０に結合し、他方の端部が下部フレーム１１１０に結合する柱補強部１１６０をさらに含むことができる。柱補強部１１６０は、折り畳み式コンテナ１０を折り畳む際に、柱フレーム１１２０が折り畳み式コンテナ１０の内側方向に受ける力を支持して、柱フレーム１１２０の撓みを防止することができる。
【０１６６】
本体１１００は、一方の端部が下部フレーム１１１０に結合し、他方の端部が底方向に折り曲げられた揺れ防止部１１４０をさらに含むことができる。
【０１６７】
詳しくは、揺れ防止部１１４０は、下部フレーム１１１０の外側面に結合し、他方の端部が地面方向に折り曲げて逆「Ｌ」字状で製作されることができる。これにより、本体１１００が外力によって揺れる場合、揺れ防止部１１４０の他方の端部が地面について本体１１００が揺れることを防止することができる。
【０１６８】
本体１１００は、両側部にそれぞれ位置し、下端面が地面に密着して、本体１１００を固定する本体固定部１１５０をさらに含むことができる。
【０１６９】
詳しくは、折り畳み式コンテナ開閉装置２０を折り畳み式コンテナ１０の前面または後面に位置させた後、本体固定部１１５０を地面方向に移動させて本体固定部１１５０の下端面を地面に密着させることができる。これにより、折り畳み式コンテナ開閉装置２０が設置される地面が平たくない場合でも、折り畳み式コンテナ開閉装置２０を強固に固定することができる。
【０１７０】
図３９を参照すると、前後面開閉部１４００は、前面パネル４００または後面パネル５００に具備された環４３０またはロードバー４６０に連結するワイヤ１４１０、及びワイヤ１４１０を巻いたり解いたりするモータ１４２０を含むことができる。
【０１７１】
詳しくは、前面パネル４００または後面パネル５００の上部には、環４３０またはロードバー４６０が結合し、環４３０またはロードバー４６０にワイヤ１４１０の端部を連結し、モータ１４２０を回転させてワイヤ１４１０を徐々に巻いたり解いたりして前面パネル４００または後面パネル５００を開閉することができる。
【０１７２】
図４３〜図４５を参照して、本発明の一実施例による昇降開閉部１５００について説明する。
【０１７３】
昇降開閉部１５００は、上下方向に延長形成され、外周面にネジ山が形成され、上部固定部１３００が上下方向に移動可能に結合されたボールスクリュー１５１０、及びボールスクリュー１５１０に連結され、ボールスクリュー１５１０を回転させる駆動部１５２０を含むことができる。
【０１７４】
つまり、上部固定部１３００は、ボールスクリュー１５１０に上下方向に移動可能に設置され、駆動部１５２０が駆動するにつれてボールスクリュー１５１０のネジ山に沿って上下方向に移動することができる。
【０１７５】
詳しくは、図４５を参照すると、ボールスクリュー１５１０は、第１柱フレーム１１２１に設置される第１ボールスクリュー１５１１、及び第２柱フレーム１１２２に設置される第２ボールスクリュー１５１２を含むことができる。
【０１７６】
昇降開閉部１５００は、ボールスクリュー１５１０に結合されたギア部１５３０、及びギア部１５３０に噛み合い駆動力を伝達するチェーン部１５４０を含むことができる（図４４参照）。
【０１７７】
つまり、ギア部１５３０は、第１ボールスクリュー１５１１に結合する第１ギア部１５３１及び第２ボールスクリュー１５１２に結合する第２ギア部１５３２を含むことができる。また、チェーン部１５４０は、第１ギア部１５３１及び第２ギア部１５３２に噛み合い、駆動力を伝達することができる。
【０１７８】
詳しくは、昇降開閉部１５００は、ギア部１５３０及びチェーン部１５４０をさらに含み、チェーン部１５４０を通じて第１ボールスクリュー１５１１の駆動力を第２ボールスクリュー１５１２に伝達して第１ボールスクリュー１５１１及び第２ボールスクリュー１５１２を回転させることができる。しかし、これに限らず、駆動部１５２０は、第１ボールスクリュー１５１１及び第２ボールスクリュー１５１２にそれぞれ設置され、独立してボールスクリュー１５１１、１５１２を回転させることができる。
【０１７９】
例示として、図４５に示すように、第１ボールスクリュー１５１１は、駆動部１５２０が駆動するにつれて回転する。この時、第１ボールスクリュー１５１１に結合された第１ギア部１５３１及び第２ボールスクリュー１５１２に結合された第２ギア部１５３２に噛み合うチェーン部１５４０は、第１ボールスクリュー１５１１の回転力を第２ボールスクリュー１５１２に伝達する。これにより、第１ボールスクリュー１５１１及び第２ボールスクリュー１５１２は、同一の速度で回転することができる。この時、第１ボールスクリュー１５１１及び第２ボールスクリュー１５１２にそれぞれ結合された上部固定部１３００が昇降して、折り畳み式コンテナ１０の上部パネル２００及び側面パネル３００が昇降することができる。
【０１８０】
また、図３８を参照すると、本体１１００は、チェーン部１５４０を保護するチェーンカバー部１５４１を含むことができ、これにより、チェーン部１５４０によって発生し得る安全事故を未然に防止することができる。
【０１８１】
図４３を参照すると、柱フレーム１１２０には、上下方向にＬＭガイド部１１２３が突出形成され、上部固定部１３００は、ＬＭガイド部１１２３が挿入するガイド溝１３３０を含むことができる。これにより、上部固定部１３００は、上下方向に昇降するようにガイドされ、外力がボールスクリュー１５１０及びＬＭガイド部１１２３に分散することができる。
【０１８２】
また、上部固定部１３００は、折り畳み式コンテナ１０の外側面に密着するガイド部１３４０を含むことができる。
【０１８３】
ガイド部１３４０は、上部固定部１３００が昇降する場合、折り畳み式コンテナ１０の外側面に密着し、左右方向に折り畳み式コンテナ１０が揺れることを防止することができる。
【０１８４】
図４６及び４７を参照すると、折り畳み式コンテナ開閉装置２０の本体１１００は、第１本体１１００ａ、第２本体１１００ｂ、第３本体１１００ｃを含むことができる。
【０１８５】
第１本体１１００ａには前後面開閉部１４００が位置し、第２本体１１００ｂ及び第３本体１１００ｃは、第１本体の一方の側及び他方の側にそれぞれ結合することができる。また、第２及び第３本体１１００ｂ、１１００ｃには、昇降開閉部１５００がそれぞれ具備されることができる。
【０１８６】
これにより、折り畳み式コンテナ開閉装置２０が移動する際に、第１〜第３本体１１００ａ、１１００ｂ、１１００ｃを分解して容易に運搬することができるという効果がある。
【０１８７】
図４８〜図５０を参照して、コンテナ開閉装置２０の滑車部１４３０と側面固定部１６００について説明する。
【０１８８】
前後面開閉部１４００は、ワイヤ１４１０が巻き取られる滑車部１４３０をさらに含むことができる。これにより、小さい力で前面パネル４００及び後面パネル５００を折り畳むことができ、前面パネル４００または後面パネル５００と前後面開閉部１４００の距離をおくことができ、ロードバー４６０の利用が円滑な効果がある。
【０１８９】
また、コンテナ開閉装置２０は、コンテナ１０の側面パネル３００を固定する側面固定部１６００をさらに含むことができる。
【０１９０】
側面固定部１６００は、本体１１１０の両側面にそれぞれ位置し、一端部にコンテナ１０の側面パネル３００を固定するワイヤが固定されるワイヤ固定部１６１０、及びワイヤ固定部１６１０の他端部が挿入して固定される挿入固定部１６２０を含むことができる。これにより、ワイヤ固定部１６１０を通じて側面パネル３００が固定され、前面パネル４００及び後面パネル５００を側面パネル３００と干渉なく円滑に回動して折り畳むことができる。
【０１９１】
以下で、図５１〜図５２を参照して、本発明の他の実施例による折り畳み式コンテナ開閉装置１８００について説明する。
【０１９２】
本発明の他の実施例による折り畳み式コンテナ開閉装置１８００は、下部に車輪１８１０ａが具備された本体１８１０、本体１８１０の下部に具備され、折り畳み式コンテナ１０の下部を固定する下部固定部１８２０、本体１８１０の上部に具備され、折り畳み式コンテナ１０の上部を固定する上部固定部１８３０、本体１８１０の上部に具備され、折り畳み式コンテナ１０の前面パネル４００及び後面パネル５００を開閉する前後面開閉部１８４０、及び本体１８１０の上部に具備され、上部固定部１８３０を昇降させて、折り畳み式コンテナ１０の上部パネル２００及び側面パネル３００を昇降する昇降開閉部１８５０を含む。
【０１９３】
本発明の他の実施例による折り畳み式コンテナ開閉装置１８００は、本発明の一実施例による折り畳み式コンテナ開閉装置１０と異なり、昇降開閉部１８５０が本体１８１０の上部に具備されることを特徴とする。
【０１９４】
また、本体１８１０は、折り畳み式コンテナ１０の側部にそれぞれ位置する下部側面フレーム１８１１、下部側面フレーム１８１１の上部面から上部方向に延長形成される柱フレーム１８１２、及び柱フレーム１８１２の上部に結合し、前後面開閉部１８４０が結合する第１上部フレーム１８１３及び柱フレーム１８１２の上部に結合し、昇降開閉部１８５０が結合する第２上部フレーム１８１４を含むことができる。
【０１９５】
また、昇降開閉部１８５０は、第２上部フレーム１８１４に結合する駆動部１８５１及び両端部に上部固定部１８３０がそれぞれ結合し、駆動部１８５１によって昇降する上下移動フレーム１８５２を含むことができる。
【０１９６】
図５２を参照すると、上部固定部１８３０は、折り畳み式コンテナ１０の上部角金２２０の上部に形成された挿入溝に挿入される上部固定片１８３１及び上部固定片１８３１を回転させる上部レバー１８３２を含むことができる。
【０１９７】
図５３及び図５４を参照して、本発明の一実施例による運転部１９００について説明する。
【０１９８】
運転部１９００は、下部フレーム１１１０の後方に配置されることができる。また、作業者は、運転部１９００を通じて折り畳み式コンテナ開閉装置２０を移動させることができる。
【０１９９】
詳しくは、運転部１９００は、運転モータ（図示せず）、運転モータに電源を供給するバッテリ部１９１０、運転モータにより駆動される車輪１９２０、及びコントロール部１９３０を含むことができる。これにより、作業者は、コントロール部１９３０を操作して、折り畳み式コンテナ開閉装置２０を所望の場所に移動させることができる。
【０２００】
この時、バッテリ部１９１０は、前後面開閉部１４００のモータ１４２０及び昇降開閉部１５００の駆動部１５２０に電源を供給することができる。
【０２０１】
以下で、図５５〜図５８を参照して、本発明の一実施例による折り畳み式コンテナ開閉装置２０を利用して折り畳み式コンテナ１０を開閉する方法について説明する。
【０２０２】
まず、図５５を参照すると、折り畳み式コンテナ開閉装置２０を折り畳み式コンテナ１０の前方及び後方にそれぞれ位置させる。
【０２０３】
次に、下部固定部１２００を折り畳み式コンテナ１０の下部角金１２０に固定し、上部固定部１３００を折り畳み式コンテナ１０の上部角金２２０に固定する。
【０２０４】
例示として、本体１１００を作業者が押して折り畳み式コンテナ１０に密着させると、下部角金１２０に形成された挿入溝１２０ａに下部固定部１２００の下部固定片１２１０が挿入され、上部角金２２０に形成された挿入溝２２０ａに上部固定部１３００の上部固定片１３１０が挿入される。その後、作業者は、下部固定部１２００の下部レバー１２２０を回転させて下部固定部１２００を下部角金１２０に固定させ、上部固定部１３００の上部レバー１３２０を回転させて上部角金２２０に固定させることができる。
【０２０５】
次に、作業者が折り畳み式コンテナ１０の各パネルを固定する固定部材を解除することができる。
【０２０６】
次に、昇降開閉部１５００の駆動部１５２０を稼動して、折り畳み式コンテナ１０の上部パネル２００及び上部側面パネル３１０を上部方向に所定距離だけ移動させることができる。この時、前面パネル４００及び後面パネル５００を固定する固定装置が解除されることができる。
【０２０７】
次に、前後面開閉部１４００のワイヤ４１０を前面パネル４００または後面パネル５００に具備された環４３０またはロードバー４６０に連結し、前後面開閉部１４００のモータ１４２０を稼動して前面パネル４００または後面パネル５００を開閉する（図５６参照）。
【０２０８】
例示として、前後面開閉部１４００のワイヤ１４１０の末端を折り畳み式コンテナ１０の前面パネル４００または後面パネル５００の上部に具備された環４３０またはロードバー４６０に掛けて固定し、モータ１４２０を回転させてワイヤ１４１０を徐々に解いて前面パネル４００及び後面パネル５００が回動しながら徐々に開閉される。
【０２０９】
次に、昇降開閉部１５００の駆動部１５２０を稼動して、上部パネル２００及び側面パネル３００を徐々に下向させて開閉する（図５７、図５８参照）。
【０２１０】
上記では折り畳み式コンテナ１０を折る過程を説明したもので、広げる時は逆順で折り畳み式コンテナ１０を広げる。
【０２１１】
この時、コンテナ開閉装置２０は、制御部をさらに具備して前記過程を自動で制御することもできる。
【０２１２】
図５９を参照すると、折れた複数の折り畳み式コンテナ１０は、折れた状態で積層されて一束のバンドル形態で運送及び保管されることができる。
【０２１３】
上述した本願の説明は、例示のためのものであり、本願が属する技術分野の通常の知識を持った者は、本願の技術的思想や必須的な特徴を変更せずに他の具体的な形態に容易に変形可能なことが理解できるであろう。したがって、以上で記述した実施例は、全ての面で例示的なものであり、限定的ではないと理解すべきである。例えば、単一型で説明されている各構成要素は、分散して実施してもよく、同様に、分散して説明されている構成要素も、結合した形態で実施してもよい。
【０２１４】
本願の範囲は、上記詳細な説明よりも後述する特許請求の範囲によって表され、特許請求の範囲の意味及び範囲、並びにその均等概念から導出される全ての変更又は変形された形態が本願の範囲に含まれると解釈されるべきである。
【０２１５】
＜付記＞
（１）折り畳み式コンテナであって、
下部パネルと、
前記下部パネルと平行に具備される上部パネルと、
前記上部パネル及び前記下部パネルの長さ方向に上下両端部が連結され、前記折り畳み式コンテナの内側方向に折り畳まれるように構成された第１及び第２側面パネルと、
前記上部パネル及び前記下部パネルの幅方向フレームに上下両端部が連結され、前記折り畳み式コンテナの内側方向に折り畳まれるように構成された前面パネル及び後面パネルを含み、
前記上部パネルは、当該上部パネルの各角部から下部方向に延長して具備される上部補強片を含み、
前記下部パネルは、当該下部パネルの各角部から上部方向に延長して具備される下部補強片を含み、
前記上部補強片は、下部方向に延長形成される締結片を含み、
前記下部補強片は、前記締結片が挿入締結される締結片固定部を含み、
前記締結片に形成された締結孔と前記締結片固定部に形成された締結孔とを貫通して締結される締結部材によって前記上部補強片と前記下部補強片とが互いに締結される、折り畳み式コンテナ。
（２）前記前面パネル及び前記後面パネルは、所定の厚さと幅を有し、四角枠状の前面フレーム及び後面フレームを含み、
前記前面フレーム及び前記後面フレームは、
側面方向フレームの上部に前記上部補強片に形成された締結孔と対応して形成される上部締結孔と、
側面方向フレームの下部に前記下部補強片の前記締結片固定部に形成された締結孔と対応して形成される下部締結孔と、
を含み、
前記前面フレーム及び前記後面フレームに形成された上部締結孔及び下部締結孔を貫通して締結される締結部材によって前記上部補強片及び前記下部補強片に締結される、上記（１）に記載の折り畳み式コンテナ。
【符号の説明】
【０２１６】
１０：折り畳み式コンテナ
１００：下部パネル
２００：上部パネル
３００：側面パネル
４００：前面パネル
５００：後面パネル
６００：パネル結合保護部
７００：弾性部材
２０：折り畳み式コンテナ開閉装置
１１００：本体
１２００：下部固定部
１３００：上部固定部
１４００：前後面開閉部
１５００：昇降開閉部
【図１】
2019163087.tif 000003
【図２】
2019163087.tif 000004
【図３】
2019163087.tif 000005
【図４】
2019163087.tif 000006
【図５】
2019163087.tif 000007
【図６】
2019163087.tif 000008
【図７】
2019163087.tif 000009
【図８】
2019163087.tif 000010
【図９】
2019163087.tif 000011
【図１０】
2019163087.tif 000012
【図１１】
2019163087.tif 000013
【図１２】
2019163087.tif 000014
【図１３】
2019163087.tif 000015
【図１４】
2019163087.tif 000016
【図１５】
2019163087.tif 000017
【図１６】
2019163087.tif 000018
【図１７】
2019163087.tif 000019
【図１８】
2019163087.tif 000020
【図１９】
2019163087.tif 000021
【図２０】
2019163087.tif 000022
【図２１】
2019163087.tif 000023
【図２２】
2019163087.tif 000024
【図２３】
2019163087.tif 000025
【図２４】
2019163087.tif 000026
【図２５】
2019163087.tif 000027
【図２６】
2019163087.tif 000028
【図２７】
2019163087.tif 000029
【図２８】
2019163087.tif 000030
【図２９】
2019163087.tif 000031
【図３０】
2019163087.tif 000032
【図３１】
2019163087.tif 000033
【図３２】
2019163087.tif 000034
【図３３】
2019163087.tif 000035
【図３４】
2019163087.tif 000036
【図３５】
2019163087.tif 000037
【図３６】
2019163087.tif 000038
【図３７】
2019163087.tif 000039
【図３８】
2019163087.tif 000040
【図３９】
2019163087.tif 000041
【図４０】
2019163087.tif 000042
【図４１】
2019163087.tif 000043
【図４２】
2019163087.tif 000044
【図４３】
2019163087.tif 000045
【図４４】
2019163087.tif 000046
【図４５】
2019163087.tif 000047
【図４６】
2019163087.tif 000048
【図４７】
2019163087.tif 000049
【図４８】
2019163087.tif 000050
【図４９】
2019163087.tif 000051
【図５０】
2019163087.tif 000052
【図５１】
2019163087.tif 000053
【図５２】
2019163087.tif 000054
【図５３】
2019163087.tif 000055
【図５４】
2019163087.tif 000056
【図５５】
2019163087.tif 000057
【図５６】
2019163087.tif 000058
【図５７】
2019163087.tif 000059
【図５８】
2019163087.tif 000060
【図５９】
2019163087.tif 000061